(57)【要約】【課題】一方向から全組立作業が可能で、組立工程が簡略化し、部品点数が減少し、製造コストが低減化した多重軸回転ダンパを提供する。【解決手段】軸方向一端に底部と他端に開口部とを有し、内部に粘性流体を収納する流体室が形成されるケーシングと、前記流体室内に収納される基部と該流体室外に突出する軸部とから成り前記ケーシングに対して相対回転自在な回転部材と、該回転部材の回転に伴う発生トルクの有無及び大小を前記回転部材の基部と協働して制御する流体トルク制御手段とから構成される回転ダンパにおいて、前記ケーシング内に配設され前記流体室を複数の流体分室に区画する、前記ケーシングとは別体の１又は複数の仕切り壁を有し、前記複数の流体分室のそれぞれに基部が収納された複数の回転部材は軸部が相互に同心の多重軸構造に構成した。【選択図】　　　図１
2004068945.tif 000002
【特許請求の範囲】
【請求項１】
軸方向一端に底部と他端に開口部とを有し、内部に粘性流体を収納する流体室が形成されるケーシングと、前記流体室内に収納される基部と該流体室外に突出する軸部とから成り前記ケーシングに対して相対回転自在な回転部材と、該回転部材の回転に伴う発生トルクの有無及び大小を前記回転部材の基部と協働して制御する流体トルク制御手段とから構成される回転ダンパにおいて、
前記ケーシング内に配設され前記流体室を複数の流体分室に区画する、前記ケーシングとは別体の１又は複数の仕切り壁を有し、前記複数の流体分室のそれぞれに基部が収納された複数の回転部材は軸部が相互に同心の多重軸構造に構成したことを特徴とする多重軸回転ダンパ。
【請求項２】
前記仕切り壁に、隣接する前記流体分室の間を連通する連通孔を設けたことを特徴とする請求項１に記載の多重軸回転ダンパ。
【発明の詳細な説明】
【０００１】
【発明の属する技術分野】
本発明は、例えば便器の便座や便蓋などの二つ以上の開閉体のぞれぞれに対してダンピング力を与える多重軸回転ダンパに関する。
【０００２】
【従来の技術】
特開平５−２９６２６７号公報及び特開平１０−１８４７４１号公報に示されるような二重軸回転ダンパは、２つの回転部材の軸部が二重軸構造に構成されるので、ダンパ全体が小型化できる点で有利である。
【０００３】
特開平５−２９６２６７号公報の図１に示された二重軸回転ダンパの場合、ケーシング内部を、ケーシングと一体に構成された隔部２０、即ち、仕切り壁により軸方向に二分割している。この仕切り壁により区画された流体分室には、それぞれ第１回動軸１７及び第２回動軸１８、即ち、２つの回転部材が設けられ、この両回転部材は軸部が同心の二重軸構造とされている。
【０００４】
特開平１０−１８４７４１号公報の図１に示された二重軸回転ダンパの場合も同様に、ケーシング内部を軸方向に第１室２１と第２室２２に区画するために、ケーシングと一体に構成された隔部６、即ち、仕切り壁が設けられている。この仕切り壁により区画された第１室２１と第２室２２に、それぞれ第１回転部材３１と第２回転部材３２が設けられ、この両回転部材は軸部が同心の二重軸構造とされている。
【０００５】
上述した従来の二重軸回転ダンパはいずれも、仕切り壁に相当する隔部がケーシングと一体に構成されているので、特開平１０−１８４７４１号の二重軸回転ダンパの組立方法について以下に説明するように、回転ダンパの組立工程及び部品点数が多くなってしまう。
【０００６】
特開平１０−１８４７４１号の二重軸回転ダンパを組立てる場合、先ず始めに、ケーシング２の図中左側開口部から第１回転部材３１を第１室２１に挿入する。
次に、同開口部を第１のキャップ７で封止し、キャップ７をケーシング２に固定する。その際、ケーシング２とキャップ７の間をＯ−リング等のシール部材１０ｂでシールする。
【０００７】
次に、ケーシング２を図中右側開口部を上にして立てた状態とし、該開口部から粘性流体を注入し、隔部６で区画された第１室２１と第２室２２に粘性流体を充填する。
次に、同開口部から第２回転部材３２を第２室２２に挿入する。その際、粘性流体がケーシング２と第２回転部材３２の間、及び第１回転部材３１と第２回転部材３２の間から漏れ出ないように、ケーシング２及び第２回転部材３２間、並びに第１回転部材３１及び第２回転部材３２間をそれぞれＯ−リング等のシール部材１０ｂ、１０ａでシールする。
最後に、同開口部を第２のキャップ８で封止する。
【０００８】
しかしながら、上記の従来の組立方法は、ケーシング内に一体に構成された隔部６、即ち、仕切り壁が存在するため、第１回転部材３１は図中左側開口部から、第２回転部材３２は図中右側開口部からの二方向からそれぞれケーシング２内に組込まなければならず、そのため、回転部材の組込後の最終工程で左右両開口部にそれぞれ第１及び第２のキャップを取付けなければならないので、組立工程に手間がかかる。
【０００９】
更に、従来の組立方法により製作される二重軸回転ダンパは、２個の封止用キャップが必要なだけでなく、シール部分が３箇所と多くなるため、キャップ及びシール部材の部品点数が増大し、それに伴い組立工程も多くなるので、製造コストが高くなる。
【００１０】
特開平５−２９６２６７号の二重軸回転ダンパの組立方法についても、同様の課題が存在する。
【００１１】
【発明が解決しようとする課題】
そこで、本発明は、従来の二重軸回転ダンパが有する斯かる点を改良した多重軸回転ダンパを提供することを課題とする。
【００１２】
【課題を解決するための手段】
上記課題を解決するため、本発明の多重軸回転ダンパは、軸方向一端に底部と他端に開口部とを有し、内部に粘性流体を収納する流体室が形成されるケーシングと、前記流体室内に収納される基部と該流体室外に突出する軸部とから成り前記ケーシングに対して相対回転自在な回転部材と、該回転部材の回転に伴う発生トルクの有無及び大小を前記回転部材の基部と協働して制御する流体トルク制御手段とから構成される回転ダンパにおいて、前記ケーシング内に配設され前記流体室を複数の流体分室に区画する、前記ケーシングとは別体の１又は複数の仕切り壁を有し、前記複数の流体分室のそれぞれに基部が収納された複数の回転部材は、軸部が相互に同心の多重軸構造に構成した。
【００１３】
仕切り壁をケーシングとは別体にしたので、組立作業の際、第１回転部材と第２回転部材がケーシングの同一開口部から挿入できるので、一方向からの組立が可能で組立工程が簡単化する。
【００１４】
軸方向一端に底部を有して、いわゆる有底のケーシングにしたので、１個のキャップで足り、シール部分も少なくなるので、キャップ及びシール部材の部品点数が減少し、それに伴い組立工程も減少するので、製造コストが低く抑えられる。
【００１５】
仕切り壁がケーシングとは別体なので、同一のケーシングを利用して三重軸以上の多重軸構造にすることも容易であり、そのため、三つ以上の開閉体にもケーシングを変えることなく対応することができる。
【００１６】
請求項２では、仕切り壁に、隣接する前記流体分室間を連通する連通孔を設けた。これにより、組立作業時に複数の流体分室に粘性流体を１回の注入工程で同時に充填することができ、組立工程が更に簡略化する。
【００１７】
【発明の実施の形態】
本発明の実施の形態の一例について添付した図面に基づき説明する。図１は本発明の第１構成例の仕切り壁を備えた二重軸回転ダンパの内部構造を示す部分縦断面図、図２（ａ）は本発明の第１構成例の仕切り壁の正面図、図２（ｂ）は図２（ａ）のＡ−Ａ線に沿う断面図、図３は本発明の第２構成例の仕切り壁の正面図をそれぞれ示す。
【００１８】
図１に示すように、本発明の二重軸回転ダンパ１はプラスチック材料から構成されており、軸方向の一端が一体に構成された底部３により閉じられ、他端が開口されているケーシング２を備えている。ケーシング２の内部には、粘性の高い粘性流体５が充填封入される流体室が形成されている。なお、本発明の二重軸回転ダンパ１は、その全部又は一部が金属その他の材料から構成しても良い。
【００１９】
流体室は、ケーシング２の軸方向の中間に取外し自在に設けた第１構成例の仕切り壁６により、第１流体分室７と第２流体分室８の二室に区画されている。第１流体分室７及び第２流体分室８のそれぞれには、第１回転部材９及び第２回転部材１０の基部１１、１２が収納されている。
なお、三重軸回転ダンパを構成するには、前記仕切り壁６を２個用意してケーシング２にそれぞれ取付けて、流体室を３つの流体分室に区画すれば良い。
【００２０】
図１において、仕切り壁６は、中央部に第１回転部材９の軸部１３が貫通する穴１５を有する。第１流体分室７側の側面は外周部がケーシング２の内周面１６に設けた段部１７に係合している。第２流体分室８側の側面の中央部は円形凹部に形成されており、第２回転部材１０の基部１２の底面の中央部に形成された凸部１８を受容している。ただし、仕切り壁６は、この構造に限られるものではなく、ケーシング２に取付け可能に構成されていれば良い。
【００２１】
また、図１では、仕切り壁６は、ケーシング２の略中央部に取付けた場合を示したが、第１流体分室７と第２流体分室８で発生させる設定トルク値により、この取付け位置を中央部からずらしても良い。
【００２２】
ケーシング２の他端の開口部４には穴空きキャップ１９が例えば、スクリューボルト２０を用いて取付けられ、この穴２０から第１及び第２回転部材の軸部１３、１４が共にケーシング２外に突出している。
【００２３】
第２回転部材１０は中空状であり、第１回転部材９の軸部１３は、仕切り壁６の中央部に設けた穴１５から第２回転部材１０の基部１２及び軸部１４の中空部分を貫通してケーシング２外に突出している。
【００２４】
第１回転部材９と第２回転部材１０は、ケーシング２の軸心Ｏを同心として回転可能であるが、第１回転部材９の軸部１３の外周面２１と第２回転部材１０の中空部分の内周面２２との間には、僅かな隙間が設けられているので、一方の回転部材の回転により他方の回転部材が連れ回されるように回転することはない。
【００２５】
第１回転部材９と第２回転部材１０の間にはシール部材としてＯ−リング２３を配置しているので、両回転部材９、１０の間から両流体分室７、８間の粘性流体５が漏れるのが防止される。
ケーシング２内の穴空きキャップ１９近傍に位置する第２回転部材１０の基部１２の外周面には、シール溝２４が形成され、Ｏ−リング２３が嵌め込まれている。そのため、ケーシング２と第２回転部材１０の間から粘性流体５が漏れるのが防止される。
【００２６】
第１回転部材９の軸部１３の先端には回り止め２５が形成され、図示しない便蓋の回動軸にこの回り止め部分を嵌入して便蓋に連結固定される。同様に、第２回転部材１０の軸部１４の先端にも回り止め２５が形成され、図示しない便座の回動軸にこの回り止め部分を嵌入して便座に連結固定される。このようにして、第１及び第２回転部材９、１０に制動されるべき二つの開閉体、即ち便蓋と便座が連結されてダンピング力が与えられる。
【００２７】
次に、図２に基づいて第１構成例の仕切り壁の構造について詳細に説明する。図２（ａ）及び（ｂ）に示すように、仕切り壁６は全体が円盤状の皿型に形成され、外周面２６がケーシング２の内周面１６に接する外周壁２７と、中央部に第１回転部材９の軸部１３が貫通する穴１５を備えた底壁２８とを有する。皿型仕切り壁６は、底壁２８の凹状の一側面が第２回転部材１０の基部１２の底面の中央部に設けた凸部１８を受容し、底壁２８の他側面の外周部がケーシング２の段部１７に嵌合するように形成されている。
【００２８】
仕切り壁６の外周壁２７には、一対の切欠部２９、２９が設けられている。切欠部２９は、仕切り壁６をケーシング２内に取付ける組立工程の時、ケーシング２の内周面１６に軸方向に沿って設けられた後述する凸壁３１が挿嵌するように形成されている。
【００２９】
次に、図３に基づいて第２構成例の仕切り壁の構造について説明する。
第２構成例の仕切り壁は、第１構成例の仕切り壁６の構造にさらに、その外周壁２７を軸方向に貫通し第１及び第２流体分室７、８間を連通する２つの連通孔３０を有する。図３に示すように、夫々の連通孔３０は小さな２個の丸孔からなり、切欠部２９の近傍に設けられている。
【００３０】
連通孔３０は、隣接する流体分室７、８間を連通するように構成されていれば良く、図示の形状に限定されるものではなく、大きな丸孔、角孔等でも良い。また、連通孔３０を設ける位置は図示された外周壁２７の周方向の箇所に限られるものではないが、後述の減圧室ｂ、ｂ’を構成する周方向の箇所であってケーシング２の後述の凸壁３１の近傍の位置が好ましい。
【００３１】
次に、連通孔３０を設けない第１構成例の仕切り壁６を有する二重軸回転ダンパ１の組立工程について、図１に基づいて説明する。
【００３２】
この二重軸回転ダンパ１を組立てる場合、まず始めに、ケーシング２の図中左側に位置する開口部４を上にして縦置きにし、該開口部４から粘性流体５を注入し、流体室に第１回転部材９の基部１１の体積を考慮した量、即ち、第１回転部材９の基部１１を収納したならば第１流体分室７が満たされる量の粘性流体を充填する。
【００３３】
次に、同開口部４から第１回転部材９と仕切り壁６をこの順にケーシング２内の流体室に挿入する。これにより、流体室は第１回転部材９の基部１１が収納される第１流体分室７と、次工程で第２回転部材１０の基部１２が収納される第２流体分室８に区画される。
【００３４】
次に、再び同開口部４から粘性流体５を注入して第２流体分室８に第２回転部材１０の基部１２の体積を考慮した量、即ち、第２回転部材１０の基部１２を収納したならば第２流体分室８が満たされる量の粘性流体を充填し、しかる後第２回転部材１０を第２流体分室８に挿入する。その際、粘性流体が第１回転部材９と第２回転部材１０の間、及びケーシング２と第２回転部材１０の間から漏れ出ないように、それぞれの間をＯ−リングでシールする。
【００３５】
最後に、同開口部４にキャップ１９を取付けて封止する。
【００３６】
以上のように、第１構成例の仕切り壁６を有する二重軸回転ダンパ１の組立工程は、開口部４を有するケーシング２の一方向から全ての構成部品の組立て作業が可能になるので、組立工程が簡単化すると同時に、ケーシング２の一端が底部３として閉鎖されているので、キャップも１個で足り、シールが必要な部分も２箇所と少なくなり、その結果、構成部品の部品点数、及び組立工程が減少するので、二重軸回転ダンパ１の製造コストは抑制できる。
【００３７】
なお、三重軸以上の回転ダンパを組立てる場合は、キャップ１９取付の最終組立て工程前に、第２の仕切り壁を挿入し、粘性流体を注入し、しかる後第３回転部材を第３流体分室に挿入する工程を１回又は複数回繰返せば良い。
【００３８】
次に、連通孔３０を設けた第２構成例の仕切り壁６を有する二重軸回転ダンパ１の組立工程について、同じく図１に基づいて説明する。
【００３９】
この二重軸回転ダンパ１を組立てる場合、第１構成例の仕切り壁６の場合と同様に、まず始めに、左側開口部４を上向きにしてケーシング２を縦置きにし、該開口部４から粘性流体５を注入し、流体室に全収納部材の体積を考慮した量、即ち、全収納部材を収納したならば第１及び第２流体分室７、８が満たされる量の粘性流体を充填する。
【００４０】
次に、同開口部４から第１回転部材９、仕切り壁６及び第２回転部材１０を順次ケーシング２内の流体室に挿入する。その際、粘性流体が第１回転部材９と第２回転部材１０の間、及びケーシング２と第２回転部材１０の間から漏れ出ないように、それぞれの間をＯ−リング２３、２３でシールする。
【００４１】
最後に、同開口部４にキャップ１９を取付けて封止する。
【００４２】
なお、上記組立工程において、同開口部４から第１回転部材９、仕切り壁６及び第２回転部材１０を順次ケーシング２内の流体室に挿入した後に、同開口部４から粘性流体を注入しても良い。その場合、連通孔３０が小孔のときは、粘性流体を圧力機を用いて注入すると効率的である。
【００４３】
以上のように、第２構成例の仕切り壁６を有する二重軸回転ダンパ１の組立工程は、第１構成例の場合と同様、ケーシング２の一端にある開口部４から全ての構成部品の組立て作業が可能になるとともに、仕切り壁６に連通孔３０を設けて粘性流体の１回の注入工程で流体室の第１流体分室７及び第２流体分室８を同時に粘性流体で充填することができるようにしたので、組立工程が更に簡単化する。
【００４４】
なお、三重軸以上の回転ダンパを組立てる場合は、最初の組立工程の際に、多重軸構造を構成する一組の回転部材及び仕切り壁を数セットと、多重軸の最終軸を構成する回転部材とをケーシング内の流体室に挿入すれば良い。
【００４５】
次に、仕切り壁６が第１構成例及び第２構成例のように構成された二重軸回転ダンパ１の構造の例を図４及び図５に基づいて説明する。
図４は図１のＢ−Ｂ線に沿う断面図、図５は図１のＣ−Ｃ線に沿う断面図をそれぞれ示す。
【００４６】
図４及び図５に示すように、回転ダンパ１のケーシング２は、その内周面１６に軸方向に沿って設けられて内方に突出している一対の凸壁３１、３１を、下記第１及び第２流体分室７、８において、ケーシング２の軸心Ｏを中心として対称位置に有する。第１及び第２流体分室７、８における一対の凸壁３１、３１は、流体室を周方向に隣接する２室に仕切る役割を有する。ただし、第２流体分室における一対の凸壁３１、３１は、仕切り壁６をケーシング２内に挿入するためのガイドレールの役割も有する。一対の凸壁３１、３１と後記の一対の羽根３４、３４とによって、第１及び第２流体分室７、８はそれぞれ周方向に加圧室ａ、ａ’及び減圧室ｂ、ｂ’の４室に区画される。なお、図４及び図５では粘性流体５は省略してある。
【００４７】
図４に示すように、ケーシング２の第１流体室７における凸壁３１の先端面３２は第１回転部材９の基部１１の外周面３３に摺接する。第１回転部材９の基部１１は、その外周面３３に軸方向に沿って設けられて外方に突出する一対の羽根３４、３４を軸心を中心として対称位置に有する。羽根３４の先端面３５はケーシング２の第１流体分室７における内周面１６に摺接する。そして、羽根３４は、第１回転部材９の回転に伴って、ケーシング２の第１流体分室７における内周面１６を摺動する。
【００４８】
さらに、第１回転部材９には、羽根３４の一側から他側に渡って基部１１を貫通し基部１１の外周面３３に開口する一対の流体通路３６、３６が形成されている。図４に示すように、流体通路３６は、一方の開口３７が羽根３４の付根部分まで切欠されている。しかし、流体通路３６の縦断面の形態は、これに限定されるものではなく、矩形、その他の形態でも良いが、少なくとも他方の開口３８が羽根３４の加圧室ａ、ａ’側の付根部分に切欠されていないことが必要である。また、流体通路３６の開口の断面形状も矩形、その他の形状でも良い。
【００４９】
第１回転部材９の基部１１に形成される流体通路３６及びその開口３７、３８の形状並びにその大小によって、第１流体分室７における発生トルクの有無と大きさが決定される。
【００５０】
なお、第１流体分室７における流体トルク制御手段は、上記流体通路３６と、ケーシング２の第１流体分室７における凸壁３１及び第１回転部材９の羽根３４とから構成されるが、これに限定されるものではなく、第１流体分室７においてケーシング２と羽根３４との間に弁機構を設けたりして回転部材の回転に伴って発生するトルクの大小を制御可能であれば、どのような構成手段でも良い。
【００５１】
図５に示すように、ケーシング２の第２流体室８における凸壁３１の先端面３２は第２回転部材１０の基部１２の外周面３３に摺接する。第２回転部材１０の基部１２は、その外周面３３に軸方向に沿って設けられて外方に突出する一対の羽根３４、３４を軸心を中心として対称位置に有する。羽根３４の先端面３５はケーシング２の第２流体分室８における内周面１６に摺接する。そして、羽根３４は、第２回転部材１０の回転に伴って、ケーシング２の第２流体分室８における内周面１６を摺動する。
【００５２】
さらに、第２回転部材１０にも、羽根３４の両側の基部外周面３３に開口する一対の流体通路３９、３９が形成されている。そして、第２回転部材１０の基部１２に形成された中空部分の内周面２２には、ケーシング２の軸方向に一定幅の溝４２がその周方向に沿って設けられている。第２回転部材８の基部１２に設けた溝４２は、羽根３４の一側から他側に渡って基部１２を貫通する部分を形成し、上記２つの開口４０、４１と相俟って第２流体分室８において加圧室ａ、ａ’と減圧室ｂ、ｂ’を連通する流体通路３９、３９を構成する。なお、第２回転部材１０の流体通路３９の開口４０、４１は、第１回転部材９の流体通路３６の開口３７、３８と略同一の形状に形成されている。
【００５３】
なお、第２流体分室８における流体トルク制御手段は、上記流体通路３９と、ケーシング２の第２流体分室８における凸壁３１及び第２回転部材８の羽根３４とから構成されるが、これに限定されるものではなく、第２流体分室８においてケーシング２と羽根３４との間に弁機構を設けたりして回転部材の回転に伴って発生するトルクの大小を制御可能であれば、どのような構成手段でも良い。
【００５４】
次に、上記のように構成され、便蓋に連結された第１回転部材９の動作を図６に基づいて説明する。
【００５５】
図６（１）は、便蓋が完全に開いている状態の第１回転部材９の回転位置を示す。この回転位置は、第１回転部材９が反時計方向（矢印Ｂ方向）に回転し一方の終端領域に達し、この終端領域において、図示しない外部ストッパ部材によって便蓋の開動作が完全に停止された状態を示す。
【００５６】
図６（１）に示すように、便蓋が全開位置で停止した状態では、加圧室ａ、ａ’と減圧室ｂ、ｂ’を連通する流体通路３６の開口が開放されているので、低トルク領域が形成されている。
【００５７】
図６（２）は、全開位置から便蓋を半分程閉じた状態の第１回転部材９の回転位置を示す。この回転位置は、第１回転部材９が図６（１）で示す回転位置から時計方向（矢印Ａ方向）に回転し始めて回転ストロークの回転角が約４０°の状態を示す。図６（１）から　図６（２）の間の回転ストロークでは、第１回転部材９は加圧室ａ、ａ’と減圧室ｂ、ｂ’の間の流体通路３６の開口が略全開した状態で回転するので、高トルクを発生することなくスムーズに回転する。従って、便蓋は回転初期からスムーズに閉じられる。
【００５８】
図６（３）は、便蓋を３分の２程閉じた状態の第１回転部材９の回転位置を示す。この回転位置は、第１回転部材９が図６（２）　で示す回転位置から更に時計方向に回転し他方の終端領域に達して、回転ストロークの回転角が約６０°の状態を示す。図６（２）　から図６（３）の間の回転ストロークでも、加圧室ａ、ａ’と減圧室ｂ、ｂ’の間の流体通路３６の開口が開かれているので、第１回転部材９は高トルクを発生することなく回転する。従って、便蓋はスムーズに閉じられる。
【００５９】
しかし、図６（３）に示す状態では、流体通路３６の他方の開口３８がケーシング２の第１流体室７における凸壁３１の先端面３２に到達して閉鎖されているので、加圧室ａ、ａ’と減圧室ｂ、ｂ’の間の流体通路３６が完全に閉じられる。そのため、加圧室ａ、ａ’は高圧になり、高トルクが発生する。従って、便蓋にダンピング力が働く。
【００６０】
図６（４）は、便蓋を完全に閉じた状態の第１回転部材９の回転位置を示す。この回転位置は、第１回転部材９が図６（３）で示す終端位置から更に時計方向に回転し、この終端領域において、図示しない外部ストッパ部材によって便蓋の閉動作が完全に停止された状態を示す。従って、便蓋は完全に閉じられている。
【００６１】
図６（３）　から図６（４）までの間の終端領域における回転ストロークでは、加圧室ａ、ａ’と減圧室ｂ、ｂ’の間の流体通路３６が完全に閉じている状態なので、加圧室ａ、ａ’の高圧が維持された状態で第１回転部材９はダンピング作用が働いて回転する。従って、ダンピング力が働いて便蓋はゆっくりと緩慢に閉じられる。
【００６２】
そして、第１回転部材９が図６（４）に示す便蓋の全閉位置から再び反時計方向に回転始動して便蓋を開くときには、回転初期に閉じている加圧室ａ、ａ’と減圧室ｂ、ｂ’の間の流体通路３６が序々に開かれていくので、第１回転部材９は回転初期を除いて高トルクを発生することなく回転する。従って、便蓋は、開き始めを除いて小さな力でスムーズに開くことができる。
【００６３】
次に、前記のように構成され、便座に連結された第２回転部材１０の動作を図７に基づいて説明する。
【００６４】
既述したように、第２回転部材１０の流体通路３９は、基部を貫通する部分が第１回転部材９の流体通路３６と異なり、他は略同一の形状を有する。従って、第２回転部材１０の動作は、基本的に第１回転部材９の動作と略同一である。
【００６５】
即ち、図７（１）に示す第２回転部材１０の回転位置では、便座の開動作は完全に停止された状態にある。便座が全開位置で停止した状態では、加圧室ａ、ａ’と減圧室ｂ、ｂ’を連通する流体通路３９の開口が開放されているので、低トルク領域が形成されている。
【００６６】
図７（１）の全開位置から便座を半分程閉じた状態を示す図７（２）の間の回転ストロークでは、第２回転部材１０は加圧室ａ、ａ’と減圧室ｂ、ｂ’の間の流体通路３９の開口が略全開した状態で回転するので、高トルクを発生することなくスムーズに回転する。従って、便座は回転初期からスムーズに閉じられる。
【００６７】
図７（２）　から便座を３分の２程閉じた状態を示す図７（３）の間の回転ストロークでも、加圧室ａ、ａ’と減圧室ｂ、ｂ’の間の流体通路３９の開口が開かれているので、第２回転部材１０は高トルクを発生することなく回転する。従って、便座はスムーズに閉じられる。
【００６８】
しかし、図７（３）に示す状態では、流体通路３９の他方の開口４１がケーシング２の第２流体室８における凸壁３１の先端面３２に到達して閉鎖されているので、加圧室ａ、ａ’は高圧になり、高トルクが発生する。従って、便座にダンピング力が働く。
【００６９】
便座を閉じた状態の第２回転部材１０の回転位置を示す図７（３）から、便座の閉動作が完全に停止されて便座が完全に閉じられている状態を示す図７（４）までの間の終端領域における回転ストロークでは、加圧室ａ、ａ’と減圧室ｂ、ｂ’の間の流体通路３９が完全に閉じている状態なので、加圧室ａ、ａ’の高圧が維持された状態で第２回転部材１０はダンピング作用が働いて回転する。従って、ダンピング力が働いて便座はゆっくりと緩慢に閉じられる。
【００７０】
そして、第２回転部材１０が図７（４）に示す便座の全閉位置から再び反時計方向に回転始動して便座を開くときには、回転初期に閉じている加圧室ａ、ａ’と減圧室ｂ、ｂ’の間の流体通路３９が序々に開かれていくので、第２回転部材１０は回転初期を除いて高トルクを発生することなく回転する。従って、便座は、開き始めを除いて小さな力でスムーズに開くことができる。
【００７１】
【発明の効果】
以上のように、本発明の多重軸回転ダンパは、第１構成例によれば、ケーシングの一方向から全ての組立作業ができ、組立工程が簡単化し、同時に部品点数と組立工程が減少し、製造コストを低く抑えられ、二つ以上の開閉体に独立してダンピング力を与えることが可能であり、さらに同一のケーシングを利用して三つ以上の開閉体に容易に対応可能であるという効果を有する。
【００７２】
さらに、本発明の多重軸回転ダンパは、第２構成例によれば、組立作業時に複数の流体分室に粘性流体を１回の注入工程で充填でき、組立工程が更に簡単化するという効果を有する。
【図面の簡単な説明】
【図１】本発明の第１構成例の仕切り壁を備えた二重軸回転ダンパの内部構造を示す部分縦断面図。
【図２】本発明の第１構成例の仕切り壁で、（ａ）はその正面図、（ｂ）は（ａ）のＡ−Ａ線に沿う断面図。
【図３】本発明の第２構成例の仕切り壁の正面図。
【図４】図１のＢ−Ｂ線に沿う断面図。
【図５】図１のＣ−Ｃ線に沿う断面図。
【図６】第１回転部材の動作を示す断面図。
【図７】第２回転部材の動作を示す断面図。
【符号の説明】
１…二重軸回転ダンパ、２…ケーシング、３…ケーシングの底部、４…ケーシングの開口部、５…粘性流体、６…仕切り壁、７…第１流体分室、８…第２流体分室、９…第１回転部材、１０…第２回転部材、１１…第１回転部材の基部、１２…第２回転部材の基部、１３…第１回転部材の軸部、１４…第２回転部材の軸部、１５…仕切り壁の穴、２６…仕切り壁の外周面、２７…仕切り壁の外周壁、２８…仕切り壁の底壁、２９…仕切り壁の切欠部、３０…仕切り壁の連通孔。
【図１】
2004068945.tif 000003
【図２】
2004068945.tif 000004
【図３】
2004068945.tif 000005
【図４】
2004068945.tif 000006
【図５】
2004068945.tif 000007
【図６】
2004068945.tif 000008
【図７】
2004068945.tif 000009